(57)【要約】多目的上半身マルチ形態衣類（１０）が手カバー（２０）と頭カバー（３０）に関して種々の着用の形態を提供するように構成される。コート、ジャケット、シャツまたはベストは着用者の頭部を覆う一体化されたフード（３０）を有する。フードの中には、顔を覆っていないときに着用者の頭部または首の後ろに払いのけられる一体型顔シールド（３２）があり、顔の多様な部分の保護を可能にする。フード（３０）は衣類（１０）に引き締められてよいか、あるいは別個に提供されるミトンが、ミトンまたはその部分を取り除かなくても達成される種々の着用形態を強化する。着用形態は、手の完全な露出、親指と４本の指の露出、４本の指の指先の露出、手の完全なカバー、及び一体化された手袋（１００）による手の完全なカバーを含む。手カバーは別個のミトンとして提供されてよい。
2005517828.tif 000002
【特許請求の範囲】
【請求項１】
胴体部分と、
前記胴体部分に一体化して取り付けられた２つの腕部分と、
前記腕部分の間で前記胴体部分と一体化されたフードであって、顔開口部付きの内面を有する前記フードと、
２つの対向する端部を有し、前記対向する端部の一方が前記内面の左側の通常垂直な位置に取り付けられ、前記対向する端部の他方が前記内面の右側の通常垂直な位置に取り付けられる顔カバーと、
を備え、
それによって前記顔カバーが、前記人の顔の一部が覆われる前面位置と、前記人の頭部の後部に隣接する背部位置の間で移動可能であり、
前記顔カバーが少なくとも２方向に引き伸ばすことができるように少なくとも1つの軸に沿って引き伸ばすことのできる布地から形成され、それにより前記顔カバーが（ａ）人の鼻を覆う、（ｂ）人の口を覆う、（ｃ）人の顎を覆う、（ｄ）人の首の前側部分と鼻の下部を覆う、及び（ｅ）人の後頭部を覆う位置の間で移動可能となるように形態変更可能であることを特徴とする、人用の多目的かつ多形態の上半身用衣類。
【請求項２】
前記顔カバーの中心部分にメッシュパネルをさらに備え、前記顔カバーが、前記メッシュパネルが呼吸蒸気で前記顔を飽和することなく、呼吸を容易にするために前記人の鼻孔及び口に近接する位置に移動可能であることを特徴とする請求項１に記載の多目的かつ多形態の上半身用衣類。
【請求項３】
前記メッシュパネルが前記顔カバーに取り外し自在に取り付けられることを特徴とする請求項２に記載の多目的かつ多形態の上半身用衣類。
【請求項４】
前記顔カバーが取り付け手段によって前記内面に取り外し自在に取り付けられることを特徴とする請求項１に記載の多目的かつ多形態の上半身用衣類。
【請求項５】
前記取り付け手段がベルクロパッド、ジッパー及び留め金のうちの１つを含むことを特徴とする請求項４に記載の多目的かつ多形態の上半身用衣類。
【請求項６】
人の頭部の回りで前記フードを引き締めるために通常前記顔開口部を囲むシンチ紐をさらに備えることを特徴とする請求項１に記載の多目的かつ多形態の上半身用衣類。
【請求項７】
前記布地が２つの軸に沿って４方向に引き伸ばすことができることを特徴とする請求項１に記載の多目的かつ多形態の上半身用衣類。
【請求項８】
前記胴体部分、腕部分、フード及び顔カバーの少なくとも１つがフリース材料を含むことを特徴とする請求項１に記載の多目的かつ多形態の上半身用衣類。
【請求項９】
前記顔開口部の上端縁に取り付けられる目を保護する鍔をさらに備えることを特徴とする請求項1に記載の多目的かつ多形態の上半身用衣類。
【請求項１０】
前記腕部分が前記胴体部分に取り外し自在に取り付けられ、それにより前記ボディウェアがジャケット及びベストの１つとして選択的に着用されることを特徴とする請求項１に記載の多目的かつ多形態の上半身用衣類。
【請求項１１】
前記腕部分と一体化した手カバーを備え、それぞれの前記手カバーが、
内部空間と、人の手が中に差し込まれてよい手の挿入端部と、前方末端部とを有する細長い管状の部分と、
前記人の手が通過してよい前記末端部の開口部と、
前記差し込まれた手の掌に相当する前記管の掌側と、
前記差し込まれた手の裏側に相当する前記管の裏側と、
掌側から外向きに伸び、前記人の指を封入するための前記内部空間と連通する親指封入部と、
通常前記末端部から、通常前記親指封入部に近接する前記掌側にまたがるポケット開口部まで延在するポケットと、
を備えることを特徴とする、請求項１に記載の多目的かつ多形態の上半身用衣類。
【請求項１２】
胴体部分と、
前記腕部分の間で前記胴体部分と一体化するフードであって、顔開口部付きの内面を有する前記フードと、
２つの対向する端部を有し、前記対向する端部の一方が前記内面の左側の通常垂直な位置に取り付けられ、前記対向する端部の他方が前記内面の右側の通常垂直な位置に取り付けられる顔カバーと、
を備え、
それにより前記顔カバーが、前記人の顔の一部が覆われる前面位置と前記人の頭部の後部に隣接する背部位置の間で移動可能であり、
前記顔カバーが少なくとも２方向に引き伸ばすことができるように少なくとも１つの軸に沿って引き伸ばすことができる布地から形成され、それにより前記顔カバーが（ａ）人の鼻を覆う、（ｂ）人の口を覆う、（ｃ）人の顎を覆う、（ｄ）人の首の前側部分と鼻の下部を覆う、及び（ｅ）人の後頭部を覆う位置の間で移動可能となるように形態変更可能であることを特徴とする人用の多目的かつ多形態の上半身用衣類。
【請求項１３】
内部空間と、人の手が差し込まれてよい手の挿入端部と、前方末端部を有する細長い管状部分と、
前記人の手が通過してよい前記末端部の開口部と、
前記差し込まれた手の掌に相当する前記管の掌側と、
前記差し込まれた手の裏側に相当する前記管の裏側と、
掌側から外向きに伸び、前記人の親指を封入するための前記内部空間と連通する親指封入部と、
通常、前記末端部から、通常前記親指封入部に近接する前記掌側にまたがるポケット開口部まで延在するポケットと、
を備え、
前記ポケットが、前記末端部開口部がその露出のためにそこを通る人の手の通過のための大気に開放する掌位置と、前記手が完全に覆われる前記末端部開口部を覆う裏側位置の間で動作可能であることを特徴とする衣類用の多形態の手カバー。
【請求項１４】
前記手カバーが前記ポケットを裏返しにすることにより手露出形態から手被覆形態に変更可能であることを特徴とする請求項１３に記載の多形態手カバー。
【請求項１５】
前記親指封入部が前記ポケットを手被覆形態に反転することなく前記人の親指を突出して保持するように構成され、それにより前記親指封入部が手の上部部分及び４本指の上部部分を覆いながら、全体的な露出を前記人の指先端に制限することを特徴とする請求項１３に記載の多形態手カバー。
【請求項１６】
前記親指封入部が使用されていないときに前記ポケット内で折り畳むことが可能であることを特徴とする請求項１３に記載の多形態手カバー。
【請求項１７】
中間位置に前記手カバーを通過する親指穴をさらに備え、それにより前記人の手が部分的に露出されることを特徴とする請求項１３に記載の多形態手カバー。
【請求項１８】
手を通過させるための管状部分と、
前記管状部分の末端部と、
前記末端部の終端開口部と、
前記管状部分の中の親指封入部と、
前記末端部を、前記末端部から遠位の前記管状部分に連結し、それにより前記末端部が前記管状部分上で後方に折り曲げられるように動かされ、前記終端開口部を閉じる少なくとも１本の伸縮性紐と、
を備え、
前記管状部分の中へ人の手を差し込むことにより前記管状部分がまっすぐになり、前記伸縮性紐（複数の場合がある）を引き伸ばし、前記手が露出される前記末端部を通過できるようにすることを特徴とする多形態手カバー。
【請求項１９】
前記少なくとも1本の伸縮性紐が前記末端部分を前記手から後方に離して引っ込めさせることを特徴とする請求項１８に記載の多形態手カバー。
【請求項２０】
人の親指を封入し、前記終端開口部を通して人の手の通過を制限するために前記管状部分に取り付けられる親指封入部をさらに備えることを特徴とする請求項１８に記載の多形態手カバー。
【請求項２１】
前記管状部分にポケットをさらに備え、前記ポケットが前記親指封入部に隣接し、それにより前記親指封入部がその保管のために前記ポケットの中に引っ込み可能であることを特徴とする請求項１８に記載の多形態手カバー。
【発明の詳細な説明】
【技術分野】
【０００１】
本発明は、上半身用衣類に関する。さらに具体的には、本発明は、幅広い範囲の大気条件及び着用者の活動に対処するために種々のさまざまな形態で着用されてよい多機能な衣類に関する。本発明は、さらに詳細には、特に頭用衣類と手用衣類を含むそれに対する付属物を備えるコート、ジャケット、ベストまたはシャツに関する。
【背景技術】
【０００２】
コートとジャケットなどの暖かい上半身用衣類に対するニーズは人間らしさにはつねに重要であった。寒い気温を経験する地方では、腕や脚（特に手と足）などの人間の頭部及び手足からの熱の移動は最も重大であることが判明している。これは、質量に対する表面面積の比率がこれらの領域で最も高く、人間の活動が多くの場合頭部と手の少なくとも一部が露出されている、つまりときどき覆われていないことに基づいているためである。これはスキー、スキーツアー、アイスクライミング、登山、ロッククライミング、アイスセーリング、スケート、アイスフィッシング、ハンティング、スノーモービル、スノーシューイング、ウィンターキャンプ等の非常に人気になってきている多くの屋外での冬の活動に当てはまる。
【０００３】
ジャケットやコートなどの上半身用衣類の寒中での使用において、着用者の体からの熱の移動は通常いくつかの特定的な領域で発生する。第1に、体及び衣類の腕を通した全体的な熱の移動がある。この熱の損失はコートの材料の断熱値を変えることによって、及び／または一般的に実践されているように、外側の衣類の下でのシャツ、セーター等の重ね着によって調節されてよい。第２に、コートの下端と人のウェストの間の空間を通る空気の移動による熱の損失がある。この熱の損失は人のウェストの回りでのコートの締め付けを変えることによって調節されてよい。第３に、着用者の頭部の露出からの熱の損失があり、それは多くのケースでは着用者の上半身からの熱の損失の主要な原因である。露出されている頭部領域の調節、及び頭カバーの断熱特性を変えることは、所望される頭部温度を達成するために使用される２つの方法である。第４に、手と前腕からの熱の移動も非常に重要である。多くの寒中での活動は、指またはときには頭部全体をあらわにすること、またはミトンの代わりに指のある手袋の使用を必要とする。
【０００４】
上半身用衣類、ヘッドウェア及びハンドウェアの分野では、技術は、寒中ジャケットとともに使用されてよい、あるいは寒中ジャケットの一部であってよい手カバー及び頭カバーの過剰なデザイン及び構成で溢れている。これらの従来の技術の衣料は通常ある特定の機能を提供することを目的としていた。手カバーのいくつかはミトン及び指付きの手袋としての代替の使用に対処する。
【０００５】
Christmanらに対する米国特許第５，０７６，１８９号では、指に付加的な温かさ、あるいは代わりに冷たさを与えるために内側手袋の上で伸縮自在である袖口付きで衣類が示されている。
【０００６】
Buenosらに対する米国特許第４，７５６，０２７号及び第４，９４４，０４１号は、衣類の袖の中の内側手袋部分が、指先を露出するために逆さに折り畳める端部を備えた指の空洞部を有する類似する仕組みを示している。
【０００７】
Rasmussenに対する米国特許第２，３４０，０１７号では、子供が衣類を外さずにそれを開くのを妨げるように構成された一体化したスライドファスナつきのミトンが取り付けられた子供用のアウターウェアまたはコートが示されている。
【０００８】
Bromerらに対する米国特許第５，５０４，９４４号は、ミトンまたは手袋が使用されないときに手の一部の上に袖を保持するために親指を置くことができる開口部を備えたジャケットの袖を開示している。
【０００９】
Kennedyらに対する米国特許第２，２７４，３３５号では、ユーザの指がミトンから滑り出て鍵、券等を取り扱うことができるようにする掌に幅全体の開口があるミトンが示されている。開口の端縁に沿った縁かがりが開口を閉じ、ハンドルを握るための捕捉のグリップを提供するのに役立つ。
【００１０】
Lengyelに対する米国特許第５，６７８，２４８号、及びBeckmanらに対する米国特許番号第４，３８３，３３６号は、ミトンの中から指先を伸ばすためのスリット付きの端部を有するミトンを開示している。指を覆ったままで保つために、指はミトンの中で折り曲げられていなければならない。Van Bergeらに対する米国特許番号第５，１７２，４２７号では、ミトンは折り曲げられていない状態で指を保つために十分に大きい。
【００１１】
Helferに対する米国特許第３，４０３，４０８号は、手袋の指がそれを通して伸ばされてよい全幅のスリットを有する外側ミトンによってカバーされる内側手袋を有する手カバーを説明している。
【００１２】
Slimovitzに対する米国特許第３，２９９，４４１号では、Helferの手カバーに類似する手カバーが、スリットを通して指先を伸ばすことができるスリット付きミトンを有している。
【００１３】
Bushに対する米国特許第５，６７３，８３６号では、指の端部が、所望されるときに露出できるようにベルクロ（商標）部材で末端が閉じられている長手袋が示されている。
【００１４】
類似した長手袋はSchublomに対する米国特許第４，８０５，３３８号に示されている。この特許では、長手袋は、ユーザの手を露出するために剥がして戻すことのできる隣接する別々にされた端縁を有している。
【００１５】
Kallmanに対する米国特許番号第４，９３３，９９２号では、手袋の裏面で横滑りし、複数のストラップによってそこに保持されている手袋用の付属品が説明されている。該付属品は手袋の４本の指と親指の上で滑り、断熱を強める部分を含み、鍵、金銭等を保管するための空間を含む部分を含む。
【００１６】
従来の技術には種々の他の開放可能なミトン／手袋がある。例えば、ジッパーによって閉じることのできるしっかりとした末端部分を有するミトンは、Bohm-Myroに対する米国特許第２，１２８，７９６号と第２，６０３，７９０号に、及びHarringtonに対する米国特許第４，３５９，７８４号に説明されている。
【００１７】
Johansonに対する米国特許第２，３２３，１３６号、Henriksonに対する第２，８３６，８２８号、及びMonkに対する第４，１９５，４０５号は、長穴がユーザの指または手袋をはめた指がミトンの布地から突出できるようにする柔らかな布地のミトンを説明している。
【００１８】
Treiberに対する米国特許第３，２１４，７７１号では、ミトンがコート袖の中のジッパー付きのポケットに入れられている。該ミトンは引っ込める、及び着用のために袖口の上に置くことができる。
【００１９】
Dawiedczykに対する米国特許第４，６５１，３５０号は、開放された先端が切り取られた４本の指部分と、中間穴のある親指部分を有する作業手袋を示している。ハーフミトンは、手袋の裏側に取り付けられ、露出された指を覆うために前に枢動できる。
【００２０】
Yatesらに対する米国特許第５，７７４，８９４号は、指の封入部が壁内加熱装置を含むゴルファー用の防寒用ミトンを示している。指の封入部は折り返すことができ、ベルクロストリップでミトンの下部に取り付けることができる。
【００２１】
Noonanに対する米国特許第５，５１７，６９３号では、長穴を密封するための折り蓋付きのＬ字形をした、掌側の長穴を有する手カバーが描かれている。着用者の手は露出のための長穴を通して伸ばすことができる。
【００２２】
Patton,Srらに対する米国特許第４，６９８，８５０号は、療法のために所望される前方に曲げ、後方に曲げた位置に指を置くために掌領域にストラップによって調節自在に取り付けられる指封入部を備えた運動療法手袋を説明している。
【００２３】
前記の参考文献のいずれも、開放袖、親指でめくられる開放袖、指のない手袋、完全な手袋または完全なミトンとして機能してよい単一の手カバーを示していない。
【００２４】
Sivretらに対する米国特許第５，７６５，２３０号では、底部分が上部の内側で巻くり上げられ顔カバーになるように構成された管状のフードとして示されている頭部衣料が示されている。代わりに、ユーザの顔は顔開口部及び肩の上に置かれる衣料を通して飛び出してよい。
【００２５】
Careyらに対する米国特許第６，２７２，６９０号では、頭カバーは呼吸用の穴が付いたネオプレンマスク部材を含む。ユーザの頭部、顔、及び首のかなりの被覆を完成するためにゴーグルが取り付けられてよい。
【発明の開示】
【発明が解決しようとする課題】
【００２６】
参考文献のどれも、フードの全体的な寸法を変更せずに顔シールドを引っ込めることのできる、あるいは頭部の上に頭カバーを乗せたときに顔の上に、あるいは頭部の後ろの上に代わりに置かれてよい衣料フードを示していない。
【課題を解決するための手段】
【００２７】
本発明は、ある実施形態において、大きな気温の変化に遭遇することのある寒中の使用のために構成されたジャケット、コート、シャツまたはベストなどの上半身用衣類である。該衣類は、それぞれが暖かさ、快適さ及び器用さの所望される組み合わせを達成するために種々の方法で使用されるように独自に設計される特定のヘッドウェア及び／またはハンドウェアを含む、あるいは特定のヘッドウェア及び／またはハンドウェアとともに使用するために構成される。衣類の胴体部分、腕部分及び頭カバーは、適切な強度、断熱値、耐水性、伸縮性、及び外観を有する材料から形成されてよい。頭カバー部分は成形しやすい及び／または成型しづらい材料、好ましくはゴアテックス（商標）などの「シェル」型材料と組み合わされるフリース、表面が硬くされた（hard−surfaced）フリースなどの引き伸ばすことができる布地から形成されてよい。種々の他の布地も使用されてよく、その少なくとも一部は高い２方向または４方向の伸縮特性を有さなければならない。本発明の頭カバー及び手カバーは、多様な衣類の種類、つまりコート、ジャケット、シャツ、ベスト、取り付け可能／取り外し可能な腕部分等付きのベスト等と組み合わされた多様な構成で結合されてよい。
【００２８】
衣類の頭カバーは、胴体部分と一体に形成されるフードである。完全に配備されると、フードは顔を囲む着用者の頭部を覆う。顔開口部でのフード端縁は、着用者の顔を取り囲む通路（channel）を含んでよい。顔の回りのフード布地を引き締めるために終端のシンチ装置（cinch device）付きの絞り紐が通路の中に通されてよい。さらに、１つの実施形態では、フードは着用者の目を隠すための短い鍔を含む。
【００２９】
フードの特定の特徴はフードの内側に各端部で取り付けられてよい柔らかな多孔性の顔シールドである。該顔シールドは代わりに着用者の顔の下部の上に着用されてよく、（ａ）鼻、口、首、（ｂ）口と首、または（ｃ）着用者の首のいずれかを覆い、断熱するために調節可能である。顔、鼻、口及び／または首を覆うために使用されていないとき、顔シールドは着用者の頭部または首の後ろに配置してよい。頭部を覆うためにフードが着用されるのか、あるいは下方に引き下げられて首の回り（顎の下）に「襟」を形成するのかに関係なく、顔シールドは顔または首の部分を覆うために有効に使用されてよい。該顔シールドはフードの恒久的な部分として形成されてよい、あるいは例えばベルクロ（商標）パッド、ジッパー等で取り外し自在に取り付けられるように構成されてよい。顔シールドは、着用者がそれを通して呼吸できるスクリーンパネルで形成されてよく、顔シールド上での結露を最小限に抑える。
【００３０】
手カバーは、手、親指及び４本の指のそれぞれの多様な組み合わせ及び露出の程度を達成するために着用されるように多形態となるように形成されるミトンを備える。手カバーは衣類の袖の末端部分であってよい、あるいはジャケットまたはシャツとともに着用してよい別個のミトンであってよい、あるいは特定の衣類とは無関係に着用してよい。
【００３１】
１つの実施形態では、手カバーは完全なまたは実質的に完全な端部開口部付きの布地の管を備える。端部開口部は、（完全に閉じたミトンを形成するために）ミトンの裏側とミトンの掌側の間でひっくり返すことのできるツーウェイポケットにより閉じることができ、それは親指封入部を覆うが、完全なまたは部分的な手の露出のために端部開口部を開く。着用者の指先だけが露出される親指の封入部が使用されてよい。第２の特徴は端部開口部に近接する親指穴であり、それにより手首と手の下部は、４本指の指先と親指が露出されている間に覆われた状態で保たれてよい。
【００３２】
第２の実施形態は同様に形成されるが、加えて管に対して開き、ツーウェイポケットの下に保管される手袋の指封入部を含む。ツーウェイポケットがミトンの裏側にひっくり返された状態では、手袋の４本指の封入部は４本の指のそれぞれに対する１つの封入部、あるいは着用者の２本及び／または３本の指のための封入部として構成される。
【００３３】
手カバーの別の実施形態は、着用者の手の裏側に折り返される末端開放端部を備えた管状の本体を有するミトンを備える。折られた部分は末端開放端部と手カバーの裏側の間に取り付けられる１本または複数本の伸縮性紐で折り返された位置に保持される。閉じられた（末端端部が折り返された）位置にあるとき、着用者は手を管状の本体を通して軸に沿って外向きに押し出すことにより完全なまたは部分的な手の露出を達成し、末端部を広げることができる。次に、伸縮性紐は、着用者の指の上で開放端部を後方に引っ込め、皺のよった袖口端部を形成する。ミトンが開放端部位置で使用されると、親指封入部は管状本体の外部上の親指ポケットの下に後方に折り曲げられてよい。ミトンは開放端部の近くに親指穴を含み、完全ではないが手の露出、例えば親指の露出と部分的な４本指の露出を有する位置を助長してよい。４本指を覆うミトンの部分は、好ましくは引き伸ばすことができる布地のから少なくとも部分的に形成されてよい。
【００３４】
衣類の１つの変形では、フード及び顔シールド付きのジャケットが、ジッパーまたはベルクロ（商標）ストリップ等の他の取り付け装置により取り付けられる腕部分を有する。腕部分の袖口は親指穴、ベルクロ（商標）引き締めストリップ、またはここに説明される実施形態のいずれかの手カバーを含んでよい。
【００３５】
ボディ、フード、顔シールド、腕部分及び手カバーを含む衣類は、人工的なフリース、表面が硬くされた（hard-faced）フリース、ゴアテックス・として知られているようなシェル材料、及び他の材料、特に高い程度の弾性または伸縮性を備えた材料などの種々の材料から形成されてよい。
【発明の効果】
【００３６】
特徴の多様な組み合わせが衣類に高められた汎用性を与え、着用者が、別個のヘッドウェア装置及び／または別個のハンドウェア装置の取り外しまたは取り付けを必要とすることなく、手カバーと頭カバーを多岐に渡る大気条件（気温、風、降雨等）、及び物理的な活動の程度に適応させることができるようにする。本発明の多目的な衣類は、激しいまたは危険なスポーツに参加するときに特に有効であり、参加中の手／指の器用さ及び頭／顔の防寒のための被覆を調節することを可能にする。ストレスの多い状態での衣類のアイテムの損失は排除または削減され、着用者の快適さはつねに維持される。
【発明を実施するための最良の形態】
【００３７】
その他の実施形態だけではなく本発明の性質も本発明の以下の詳細な説明、添付請求項、及びここでの複数の図面を参照することにより明確に理解されてよい。
【００３８】
使用及び動作中、及び図１を参照すると、本発明の衣類１０の第１の例示的な実施形態がコートまたはジャケットとして描かれている。図示されているように、衣類１０は、一体化した腕部分１４、及びフードを備える一体化した頭カバー３０を備えた胴体部分１２を含む。各腕部分１４は、胴体部分１２から袖の下部部分１６に延在する管を備え、本発明の一体化したミトン２０を備える端末の手カバー付きで示されている。該ミトン２０は、ユーザの手がそれを通って伸びてよい端末開口部１８付きで示されている。
【００３９】
図１に図示されるように、例示的な衣類１０は、頭カバー（フード）３０内で衣類の下端縁２４から開口部２８まで延在するジッパー２６が付いた前部２２を有している。頭カバー３０には、着用者の頭部の回りを引き締めるための周辺を取り巻くシンチ紐（cinch cord）つまり絞り紐３８が取り付けられてよい。顔シールド３２は、頭カバー３０の内側に各端部３４が（固定してまたは一時的に）取り付けられた細長い断熱部材を備える。それはさらに詳細に後述される。
【００４０】
図２は、シャツ、セーターまたはスウェットシャツなどの第２の例示的な衣類１０Ａを描いている。該衣類１０Ａは下部端縁２４及び頭部開口部２８Ａを備えた胴体部分１２付きで示されている。該衣類１０Ａは頭カバー３０及び胴体ジッパー２６なしで示されているが、腕部分１４の袖下部１６に多目的な手カバー２０付きで示されている。該多目的な手カバー２０は多形態の着用に備える本発明の要素を備える。
【００４１】
図３では、本発明の別の実施形態が下端縁２４付きの胴体部分１２を備えるベスト型衣類１０Ｂとして示されている。一体化された頭カバー３０は縫い目３６に沿って胴体部分１２に接合され、操作可能な顔シールド３２付きのフードとして示されている。頭カバー３０は開口部２８を有し、その回りにはシンチ紐３８が着用者の頭部の上でカバーを引き締めるために使用される。該衣類１０Ｂも、例示的な前部ジッパー２６、腕部分開口部４０、及びポケット４２付きで示されている。
【００４２】
本発明の手カバー２０の多様な実施形態が後述される。それぞれが袖の下部部分１６の伸張部として、あるいは特定のボディウェアとは関係なく着用してよい個別のミトン装置として形成されてよい（完全封入部形態で構成される図４の例を参照すること）。手カバー２０の第１の実施形態２０Ａは、図４、図５、図６、図７及び図８でのさまざまな着用の形態で示されている。手カバー２０Ａは、人の手５０がその中に入り込む管状の部分４４を含む。該管状部分４４はその末端部（終端部）６６にある開口部１８及び完全な親指封入部４６を有する。ツーウェイポケット４８が、例えば３つの端縁６０で手カバー２０Ａの該管状部分４４の前面６２の周辺部分に、縫い付けられるなど、取り付けられている。ポケット４８の第４の端縁は該管状部分４４に取り付けられていないが、人の親指を覆うために使用されていないときに親指封入部４６を差し込んでよいポケット開口部５８を備える。手カバー２０Ａは末端部６６の近くに親指穴７０を含んでよく、掌５１及び手の裏側５７を覆ったままにしながら４本指５４の大部分を露出することが所望されるときにそこを通して人の親指が差し込まれてよい。
【００４３】
ここで図５の手の完全露出着用形態を見ると、親指封入部４６が手カバー２０Ａの前面６２の一部を覆う該ツーウェイポケット４８の下で折り曲げられている。親指封入部４６はこのようにして非干渉位置に保持される。完全な手５０が末端開口部１８から突出して示され、手の完全な操作を可能とする。図５は、人差し指（第一指）５４Ａ、第二指５４Ｂ、第３指５４Ｃ及び小指５４Ｄも露出された手５０の一部として示している。
【００４４】
図６では、着用者の手５０は部分的に管状部分４４の中に引っ込められており、親指５２は親指穴７０を通して差し込まれている。親指穴７０は、手５０があらわにされてよい範囲を制限する。この着用形態では、４本指５４は、手の指以外の部分がおもに大部分は覆われている一方で大部分はあらわである。
【００４５】
図７に図示されるように、親指封入部４６はツーウェイポケット４８から引っ込められ、着用者の親指５２は、手５０を管状部分４４の中にさらに引っ込める間に親指封入部４６の中に差し込まれる。手カバー２０Ａの末端部６６は任意の所望される範囲まで指５０（特に指先端５６）を露出するために引き戻されてよい。この「指なし手袋」着用形態では、親指５２は入れられ、先端５６が露出している。従って指先端の器用さは、親指５２を露出しなくても保証される。
【００４６】
図８に図示されるように、ツーウェイポケットは、開口部１８を含む管状部分４４の末端部６６の上まで引っ張られ、手の完全封入部形態を形成してよい。この形態では着用者の手は完全に覆われる。前面６２の掌領域６８は、親指裏面７２とともに、着用者の特定の活動によって必要とされる手の動きにつながる材料から形成されてよい。例えば、手がロープのきつい把持を形成しなければならない場合、掌領域６８及び親指裏面７２は滑らない表面の材料から形成されてよい。
【００４７】
本発明の手カバー２０は、好ましくはフリース、表面が硬くされたフリースなどの引き伸ばすことができる布地、あるいはゴアテックス（商標）などの「シェル」型材料などの一般的には成形しやすい及び／または成型しづらい材料、あるいはその組み合わせから形成されてよい。種々の他の布地も、伸縮性、滑りにくさ（non-slipperiness）、強度、摩耗、表面硬度及び断熱値の所望される特性を達成するために使用されてよい。
【００４８】
手カバー２０Ａは、左手ミトン用に示される図９の分解図に描かれるような複数の布地パネルから形成されてよい。図示されるように、１枚または複数枚の布地７４がバックパネル７６、上部手首パネル７８、上部手パネル８０、上部親指パネル８２、裏面親指パネル８４及びポケットパネル８６を形成するために切断されてよい。該パネルは、縫い目線８８に沿って縫うことによって接合される。パネル７６、７８及び８６は、それぞれ折り返され、パネルに縫い付けられる１つのまたは複数の折り畳み端部９０付きで示され、それぞれ末端開口部１８、手首開口部９２、及びポケット開口部５８の回りに完成した端縁を作成して示されている。
【００４９】
手カバー２０Ａのこの実施形態は別個のミトンとして、つまり衣類の腕の部分ではなく示され、着用者の手首または前腕の回りで引き締めるために手首開口部の折り畳まれた端部９０の中に含まれるシンチ紐９４を含む。やはり図９に図示されているのは、前述されたような親指穴７０である。
【００５０】
手カバー２０は、さまざまな形状及び大きさのパネルから形成されてよい。例えば、パネル７８と８０は単一のパネルを備える。代わりに、パネル７６、７８及び８０は単一のパネルを備え、それらの長手方向端縁を１本の縫い目に沿ってともに縫い付けることによって管状部分４４の形成を可能にする。代わりに、パネル８０と８４は単一のパネルとして結合されてよい。構造の中の多様な他の変型が可能である。
【００５１】
別の一般的な手カバー実施形態２０Ｂは、図１０、図１１及び図１２に示されている。図１０の分解図に図示されるように、手カバー２０Ｂはバックパネル７６、中間パネル９６、前部指パネル９８、４本指部分１０２付きの上部手パネル８０、上部親指パネル８２、裏面親指パネル８４、及びポケットパネル８６から形成されている。縫い目線８８に沿って縫い付けることによって接合されると、図１２、図１３及び図１４に示される手袋４本指形態だけではなく図５から図８の着用形態にも対処する手カバーが形成される。パネル９８と８０から形成される４本指手袋１００は、そのパネル９８が一般的に直線の上部縫い目線８８Ａに沿ってパネル９６だけに縫い付けられ、パネル９６とは無関係な行動の自由を可能にする。手カバー２０Ｂは手首開口部９２、完全露光開口部１０４及び手袋開口部１０６を含む。この実施形態２０Ｂでは、パネル９８と８０から形成される４本指手袋１００がツーウェイポケット４８内で見えないところに折り畳まれる。ポケット４８はミトンの裏側６４の上に折り返され、４本指手袋１００を露出してよい。
【００５２】
構造の１つの代替形式では、手カバー２０Ｂは、図１１に描かれているように、変化するパネル９６と９８によって形成されてよい。２枚のパネル９６、９８は縫い目線８８Ｂで端と端をつないで接合され、末端開口部１８を越えて外向きに突出する指部分１０２を形成する。この変形では、パネル９６が４本指手袋１００の内側部分になる。
【００５３】
図１２では、手カバー２０Ｂが、４本指部分１０２及び親指封入部４６が着用者が使用するために開放される４本指手袋形態で示されている。ツーウェイポケット４８は手開口部（図示されず）の上で折り返され、それにより着用者の手のどの部分も露出されない。
【００５４】
手カバー２０Ｂの変形は図１３に示され、親指封入部４６と２つの指部分１０２Ａと１０２Ｂを含んでいる。指部分１０２Ａは着用者の手の人差し指（人差し指または「はね指」）５４Ａを封入し、指部分１０２Ｂは残りの３本の指（第２指５４Ｂ、第３指５４Ｃ及び小指５４Ｄ）を封入する。この実施形態では、別個の指部分１０２Ａがはね指５４Ａのために設けられ、例えば狩猟及び軍事利用に有効である。
【００５５】
図１４は着用者の人差し指５４Ａ及び第２指５３を封入するための指部分１０２Ｃ、及び残りの２本の指５４Ｃと５４Ｄを封入するための指部分１０２Ｄを含む追加の変形を示す。ここで「ロブスター（lobster）」バージョンと呼ばれるこの実施形態は、自転車やオートバイに乗るときにブレーキレバーまたはクラッチレバー（図示されず）を掴むために特に有効である。手カバー２０Ｂの複数の変形のいずれかは、同等なミトンを提供する類似するパターンだけではなく、図１０と図１１の修正されたパターンも使用して製造されてよい。
【００５６】
着用形態を変更する方法だけではなく、多目的な手カバー２０Ｃの別の実施形態も図１５、図１６、図１７及び図８に示されている。図１５に図示されるように、手カバー２０Ｃは、差し込まれた手が完全に封入される、または覆われる非露出形態にある。手カバー２０Ｃは、終端の、つまり末端開口部１８付きの管状部分４４から形成される。
【００５７】
親指穴７０も末端部６６の近くに図示されている。図１５に図示される完全閉鎖形態では、末端開口部１８を含む端部部分１０８が、交差軸１１０の回りのミトン背部６４の上で折り返され、１本または複数本の引き伸ばすことのできる伸縮性紐１１２によってそこに保持されている。各伸縮性紐１１２は管状部分４４の末端部６６に取り付けられた端部１１６を有し、対向する端部１１８は管状部分４４に取り付けられている。親指封入部４６は管状部分４４の一体化した部分となるように形成され、そこに近接している親指ポケット１１４の中に折り込まれてよい。手カバー２０Ｃは別個のミトンとなるように構成されてよい、あるいは衣類腕部分の一体化した一部であってよい。
【００５８】
ユーザが頭部５０または指５４を露出することを希望するとき、腕及び手は、図１６に描かれているように軸１２０に沿って端末（末端）部６６に向かって押される。端部部分１０８は着用者の指５４により強制的にまっすぐにされ、伸縮性紐１１２を引き伸ばす。
【００５９】
管状部分４４が手５０の動きにより完全に伸ばされると、図１７に示されるように、手または指５４が端末開口部１８を通ってよい。この段階では、伸縮性紐１１２は完全に伸ばされている。図１８に描かれているように、伸縮性紐１１２の張力が次により低い張力の位置に向かって端部部分１０８を引っ込め、着用者の手５０を完全に露出する。親指封入部４６は折り返され、指ポケット１１４の中に差し込まれ、それを非侵襲位置に保つ。
【００６０】
手カバー２０Ｃを完全閉鎖位置に戻すためには、ステップが逆転される。端部部分１０８は手５０の上で外向きに押され、次に手は、伸縮性紐１１２が端部部分を管状部分４４の残りに平行に後方に引っ張る間に引っ込められる。
【００６１】
ここで本発明の頭カバー３０を見ると、図１９及び図２０の断面図は、断熱顔シールド３２が、端部３４が着用者の頭部１２２のそれぞれの側で通常垂直方向にフード内部３１に取り付けられるフード３０Ａとしての頭カバーを示している。図１９では、顔シールド３２は着用者の頭部１２２の後ろに位置し、着用者の鼻１２８と顔１２８を露出したまま残す。
【００６２】
図２０では、顔シールド３２が、鼻１２８の一部を含む着用者の顔１２８のかなりの部分を覆うために設置される。図２１に描かれているように、顔シールド３２は、通常断熱布地などの成形しやすい材料の大まかに矩形のパネルから形成され、上部端縁１３２、下部端縁１３４及び端部３４を有する。シールド３２の一部１３８は、多孔性の網かけまたは類似した材料から形成されてよく、蒸気でシールドを飽和することなく着用者による荒い息を可能とするために鼻及び／または口の近傍に位置する。端部３４はフード３０Ａの内側に縫い付けられるか、あるいはベルクロ（商標）ストリップを使用することによってなど他の方法で接合されてよい。後者のケースでは、顔シールド３２は清掃または交換のために容易に取り外しされてよい。
【００６３】
頭カバー３０Ａの多様な形態は、種々の温かさを達成するために図２２、図２３、図２４、図２５及び図２６に示されている。図２２に図示されるように衣類１０は縫い目３６に沿って衣類に接合されるフード３０Ａを含み、顔の露出のための開口部２８を有する。顔シールド３２は、鼻１２４から下方に顔１２６の下部の上にあるとして示されている。シールド端部３４がフード３０Ａに取り付けられる縫い目線１４２が図示されている。さらに、短い鍔つまりひさし１４０が、太陽光または降雨から着用者を保護するために開口部２８の上端縁に接合されるように示されている。鍔１４０は、外部防水材料１４６とともに内部形状保持部材１４４から形成されてよい。鍔１４０は、最大約０．７５インチから約２インチ、開口部２８から外向きに延在するように構成される。ジッパー２６または他の開放装置により、フード３０Ａの前部分を含む衣類１０の開口が可能になる。
【００６４】
図２３に図示されるように、着用者の顔１２６は顔シールド３２を下方に顎１２７の下まで引くことによって露出されてよく、その場合顔シールドは首１２１の前部を覆う。ジッパー２６は図示されるように、さらに空気を循環させるために部分的に開放してよい。
【００６５】
図２４は、フード３０Ａが下方に引き下げられた着用者の頭部１２２を示している。この位置でさえ、及び衣類１０の上部の開放にも関わらず、顔シールド３２は着用者の首１２１の前部を断熱するためにその位置を保持するだろう。
【００６６】
図２５は、着用者の頭部１２２が顔シールド３２の前に置かれる着用形態を示している。この構成では、着用者の頭部１２２、顔１２６及び首１２１の前部は完全に露出している。
【００６７】
図２６は、衣類１０が閉じられ、一部を切り取って１４６可視となる顔シールド３２が頭部１２２の後ろに置かれ、着用者の顔１２６をあらわのままとする着用形態を描いている。
【００６８】
本発明の衣類１０の追加の実施形態は、図２７に例示されるベスト／コートまたはベスト／シャツ組み合わせ１０Ｃを備える。胴体部分１２は、肩領域１５２でのジッパー１４８による取り外し自在の腕部分１５０の取り付けのために構成され、ベストをコートに変える。多様な取り外し自在の腕部分１５０は、特定の用途及び／または気候条件のために構成されてよい。図２７では、衣類１０Ｃは（腕部分のない１５０）ベスト形状で示され、顔開口部２８と顔シールド３２付きの頭カバー３０Ａ、各腕部分ホール４０を取り囲むジッパー１４８、及び顔開口部２８から衣類の下端縁２４に延在する前部ジッパー２６を含んでいる。顔シールド３２は多孔性のスクリーンまたはメッシュを備えるセクション１３８付きで図示されている。オプションの実施形態では、衣類１０Ｃは、一体化した頭カバー３０Ｃなしで形成される。
【００６９】
ここで図２８、図２９及び図３０を見ると、３つの例示的な取り外し可能な腕部分１５０が示され、それぞれが胴体部分１２に接合するための上部開口部１５４を有する。複数の異なる手カバー２０が示され、図５から図１８にここに前述されたような追加の手カバー構成が使用されてよい。図２８では、腕部分１５０の末端部が、着用者の手（図示されず）の部分的な被覆を達成するために袖口１５６及び親指穴７０を備える。図２９では、袖口１５６は１組のベルクロ（商標）ストラップ１５８を含み、袖口を着用者の手首１２３の回りで引き締める。図３０では、手カバー２０Ａは、前述され、例えば図８に図示されるような多目的のミトンを備える。言うまでもなく、腕部分１５０を構築し、例えば異なる断熱値を達成するため、あるいは雨や雪をはねつけるために多様な材料が使用されてよい。
【００７０】
ここに説明される種々の衣類及び衣類要素は、多岐に渡る気候条件及び活動の元で望ましい快適レベルを可能にする。手カバー及び頭カバーはそれぞれ多様な着用形態を有し、それにより気温、風速または個人の活動レベルの急速な変化に迅速且つ容易に対処できる。このような変更は「急いで」つまり活動の長い休止なしに行われてよい。
【００７１】
本発明の多様な衣類の構成により、着用者が過去に達成可能であったよりさらに快適に、安全に、且つ楽しく厳しい活動を実行できるようになることが前記説明から認識されるだろう。
【産業上の利用可能性】
【００７２】
本発明はここに特定の例示的な実施形態に関して開示されてきたが、当業者は、それがそのように制限されていないことを認識し、理解するだろう。開示された実施形態に対する多くの追加、削除及び変型は、本発明の範囲を逸脱することなく達成されてよい。さらに、一方の実施形態からの特徴は他方の実施形態からの特徴と結合されてよい。本発明の範囲は請求の範囲によってのみ制限されるべきである。
【図面の簡単な説明】
【００７３】
【図１】図１は本発明による多目的ミトン及び頭カバー付きの閉じられた位置にある衣類の第１の例示的な実施形態の全体的な正面図である。
【図２】図２は本発明による多目的ミトン付きの衣類の第２の例示的な実施形態の全体的な正面図である。
【図３】図３は本発明による頭カバー付きの衣類の第３の例示的な実施形態の全体的な正面図である。
【図４】図４は本発明のミトンの手カバーの全体的な正面図である。
【図５】図５は、多様な着用形態を示す本発明の衣類のミトン端部の全体的な描写であり、ミトン着用の手の完全な露出形態を示している。
【図６】図６は、多様な着用形態を示す本発明の衣類のミトン端部の全体的な描写であり、ミトン着用の親指及び４本指の部分的な露出の形態を示している。
【図７】図７は、多様な着用形態を示す本発明の衣類のミトン端部の全体的な描写であり、ミトン着用の親指が覆われた状態の４本指の指先の露出形態を示している。
【図８】図８は、多様な着用形態を示す本発明の衣類のミトン端部の全体的な描写であり、ミトン着用の完全な被覆形態を示している。
【図９】図９は縫い物線を含む本発明の第１のミトン実施形態の要素の分解斜視図である。
【図１０】図１０は縫い物線を含む本発明の第２のミトン実施形態の要素の分解斜視図である。
【図１１】図１１は縫い物線及び異なる構造を含む本発明の第２のミトン実施形態の要素の分解斜視図である。
【図１２】図１２はミトン着用の追加の手袋封入部形態を示す、本発明の衣類のミトン端部の第２の実施形態の全体的な描写である。
【図１３】図１３はミトン着用の追加の手袋封入部形態を示す、本発明の衣類のミトン端部の第２の実施形態の変形の全体的な描写である。
【図１４】図１４はミトン着用の追加の手袋封入部形態を示す、本発明の衣類のミトン端部の第２の実施形態の別の変形の全体的な描写である。
【図１５】図１５は、完全に閉じられた位置から完全に開放した位置へミトン端部を変更する際のステップを描く、本発明の衣類のミトン端部の追加の実施形態の全体的な側部描写である。
【図１６】図１６は、完全に閉じられた位置から完全に開放した位置へミトン端部を変更する際のステップを描く、本発明の衣類のミトン端部の追加の実施形態の全体的な側部描写である。
【図１７】図１７は、完全に閉じられた位置から完全に開放した位置へミトン端部を変更する際のステップを描く、本発明の衣類のミトン端部の追加の実施形態の全体的な側部描写である。
【図１８】図１８は、完全に閉じられた位置から完全に開放した位置へミトン端部を変更する際のステップを描く、本発明の衣類のミトン端部の追加の実施形態の全体的な側部描写である。
【図１９】図１９は図１の線１９−１９に沿って取られるような本発明の頭カバーを通る断面図である。
【図２０】図２０は図１の線１９−１９に沿って取られるような本発明の頭カバーを通る断面図である。
【図２１】図２１は本発明の衣類の顔シールドの平面図である。
【図２２】図２２は着用の第１形態にある本発明の衣類の例示的な頭カバーの全体的な正面図である。
【図２３】図２３は着用の第２形態にある本発明の衣類の例示的な頭カバーの全体的な正面図である。
【図２４】図２４は着用の第３形態にある本発明の衣類の例示的な頭カバーの全体的な正面図である。
【図２５】図２５は着用の第４の形態にある本発明の衣類の例示的な頭カバーの全体的な正面図である。
【図２６】図２６は着用の第５の形態にある本発明の衣類の例示的な頭カバーの全体的な正面図である。
【図２７】図２７は取り付け自在／取り外し自在の腕部分を有するように構成される本発明の追加衣類の正面図である。
【図２８】図２８は本発明の取り付け自在／取り外し自在の腕部分の側面図である。
【図２９】図２９は本発明の取り付け自在／取り外し自在の腕部分の別の実施形態の側面図である。
【図３０】図３０は 本発明の取り付け自在／取り外し自在の腕部分の追加の実施形態の側面図である。
【図１】
2005517828.tif 000003
【図２】
2005517828.tif 000004
【図３】
2005517828.tif 000005
【図４】
2005517828.tif 000006
【図１９】
2005517828.tif 000007
【図２０】
2005517828.tif 000008
【図２１】
2005517828.tif 000009
【図５】
2005517828.tif 000010
【図６】
2005517828.tif 000011
【図７】
2005517828.tif 000012
【図８】
2005517828.tif 000013
【図９】
2005517828.tif 000014
【図１０】
2005517828.tif 000015
【図１１】
2005517828.tif 000016
【図１２】
2005517828.tif 000017
【図１３】
2005517828.tif 000018
【図１４】
2005517828.tif 000019
【図１５】
2005517828.tif 000020
【図１６】
2005517828.tif 000021
【図１７】
2005517828.tif 000022
【図１８】
2005517828.tif 000023
【図２２】
2005517828.tif 000024
【図２３】
2005517828.tif 000025
【図２４】
2005517828.tif 000026
【図２５】
2005517828.tif 000027
【図２６】
2005517828.tif 000028
【図２７】
2005517828.tif 000029
【図２８】
2005517828.tif 000030
【図２９】
2005517828.tif 000031
【図３０】
2005517828.tif 000032
【手続補正書】
【提出日】平成16年11月29日(2004.11.29)
【手続補正１】
【補正対象書類名】特許請求の範囲
【補正対象項目名】全文
【補正方法】変更
【補正の内容】
【特許請求の範囲】
【請求項１】
人用の多目的な多形態手カバーであって、
内部空間、前記人の手が差し込まれてよい手の挿入端部と、前方終端端部とを有する細長い管状部分と、
前記人の手が外部に通過してよい前記末端部の開口部と、
前記差し込まれた手の掌に相当する前記管の掌側と、
前記差し込まれた手の裏側に相当する前記管の裏側と、
前記掌側から外向きに伸び、前記人の親指を封入するための前記内部空間と連通する親指封入部と、
通常前記末端部から、通常前記親指封入部に近接する前記掌側の少なくとも一部にまたがるポケット開口部まで延在するポケットと、
を備え、
前記ポケットが、前記末端開口部がその露出のためにそこを通る前記人の手の通過のために大気に開放する掌位置と、それにより前記手が覆われる前記末端開口部を覆う背部位置の間で動作可能であることを特徴とする多目的な多形態手カバー。
【請求項２】
前記手カバーが、前記ポケットを反転することによって手露出形態から手被覆形態に変更可能であることを特徴とする請求項１に記載の多目的な多形態手カバー。
【請求項３】
前記親指封入部が前記ポケットを手被覆形態に反転することなく前記人の親指を突出して保持するように構成され、それによって前記親指封入部が、手の上部分及び指の上部分を覆いながら全体的な露出を前記人の指先に制限することを特徴とする請求項１または２に記載の多目的な多形態手カバー。
【請求項４】
前記親指封入部が、使用されていないときに前記ポケット内で折り畳むことができることを特徴とする請求項１、２または３に記載の多目的な多形態手カバー。
【請求項５】
前記人の親指が前記４本指に無関係に露出されることにより、中間位置での前記手カバーを通る親指穴を備えることを特徴とする請求項１、２、３または４に記載の多目的な多形態手カバー。
【請求項６】
前記手の挿入端部が前記人の手首または腕の回りで前記手カバーを引き締めるためのシンチ紐をその中に周方向に含むために折り畳まれる手首開口部を備えることを特徴とする前出の請求項のいずれかに記載の多目的な多形態手カバー。
【請求項７】
残りの指とは無関係に1本または複数本の指を別個に封入するための別個の指部分をさらに備えることを特徴とする前出の請求項のいずれかに記載の多目的な多形態手カバー。
【請求項８】
前記多形態手カバーの前記手挿入端部が上半身の腕部分に一体化して、あるいは取り外し自在に取り付けられる、前出の請求項のいずれかに記載の胴体部分、２つの腕部分、及び多目的な多形態手カバーを含む上半身用衣類。
【請求項９】
前記腕部分の間で前記胴体部分と一体化されたフードであって、顔開口部のある内面を有する前記フードと、
２つの対向する端部、外面及び内面を有し、前記対向する端部の一方が前記フードの前記内面の左側に取り付けられ、前記他方端部が前記フードの前記内面の右側に取り付けられる顔カバーと、
を含み、
前記顔カバーが前記人の顔の一部を覆うための前部位置と前記人の頭部の後部に隣接する背部位置の間で移動可能であり、
前記顔カバーが少なくとも２方向で引き伸ばすことができるように、少なくとも1つの軸に沿って引き伸ばすことができる布地から形成され、それにより前記顔カバーが、前記人の（ａ）鼻、（ｂ）口、（ｃ）顎、（ｄ）首の前側部分、（ｅ）鼻の下部、及び（ｆ）後頭部の一つまたはそれ以上を移動可能に覆うことにより形態変更可能であることを特徴とする請求項８に記載の上半身用衣類。
【請求項１０】
前記顔カバーの前記内面に取り付けられ、実質的に覆うメッシュパネルをさらに備え、前記顔カバーが前記フードに取り外し自在に取り付けられることを特徴とする請求項９に記載の上半身用衣類。
【国際調査報告】
2005517828.tif 000033